(57)【要約】  吐出容器により吐出される泡の見映えを効果的に向上させることを可能にする。  泡が吐出される吐出口(２１ｄ)を有する吐出ヘッド(２１)及び当該吐出ヘッド(２１)に装着される吐出ヘッド用アタッチメント(３０)を備える吐出容器(１)であって、吐出ヘッド用アタッチメント(３０)は、一側で吐出口(２１ｄ)と接続されており、他側に第１開口(３１ａ)を有する筒状部(３１)と、筒状部(３１)の一側に設けられる多孔部(３２)と、を含み、筒状部(３１)の側部には、第２開口(３１ｂ)が形成されており、第１開口(３１ａ)の周縁部は、少なくとも部分的に筒状部(３１)の周方向に沿って延在している、吐出容器(１)。
2020110331.tif 000002
【特許請求の範囲】
【請求項１】
泡が吐出される吐出口を有する吐出ヘッド及び当該吐出ヘッドに装着される吐出ヘッド用アタッチメントを備える吐出容器であって、  前記吐出ヘッド用アタッチメントは、  一側で前記吐出口と接続されており、他側に第１開口を有する筒状部と、  前記筒状部の前記一側に設けられる多孔部と、  を含み、  前記筒状部の側部には、第２開口が形成されており、  前記第１開口の周縁部は、少なくとも部分的に前記筒状部の周方向に沿って延在している、  吐出容器。
【請求項２】
前記多孔部の目開きは、前記吐出ヘッドから前記吐出ヘッド用アタッチメントに送られる前記泡の平均泡径より小さい、  請求項１に記載の吐出容器。
【請求項３】
前記多孔部の目開き率は、１０％より大きい、  請求項１又は２に記載の吐出容器。
【請求項４】
前記筒状部の内径は、前記多孔部より前記第１開口側において、前記多孔部に近づくにつれて小さくなっている、  請求項１〜３のいずれか一項に記載の吐出容器。
【請求項５】
液体が収容される容器本体と、  前記吐出ヘッドを含むディスペンサと、  を備え、  前記ディスペンサは、前記容器本体内に収容されている液体を空気と混合することにより泡を生成し、当該泡を前記吐出ヘッドへ送るポンプ機構を含む、  請求項１〜４のいずれか一項に記載の吐出容器。
【請求項６】
前記容器本体に収容された液体をさらに備える、  請求項５に記載の吐出容器。
【請求項７】
前記容器本体に収容される液体の粘度は、２５℃において、１ｍＰａ・ｓ以上であり、１０００ｍＰａ・ｓ以下である、  請求項５又は６に記載の吐出容器。
【請求項８】
前記吐出ヘッドの内部流路には多孔体が設けられている、  請求項１〜７のいずれか一項に記載の吐出容器。
【請求項９】
前記多孔体は、複数設けられている、  請求項８に記載の吐出容器。
【請求項１０】
前記多孔部の目開き率は、前記多孔体の目開き率と同じか、又は、前記多孔体の目開き率より小さい、  請求項８又は９に記載の吐出容器。
【請求項１１】
前記筒状部の軸方向の中央側には、当該筒状部の周方向の外側に突出したフランジ部が形成されている、  請求項１〜１０のいずれか一項に記載の吐出容器。
【請求項１２】
複数の前記第２開口が前記筒状部の周方向に間隔を空けて形成されている、  請求項１〜１１のいずれか一項に記載の吐出容器。
【請求項１３】
前記第１開口の周縁部は、隣り合う前記第２開口の間において、前記筒状部の周方向に沿って延在している、  請求項１２に記載の吐出容器。
【請求項１４】
前記第２開口における前記筒状部の軸方向の長さは、隣り合う前記第２開口の間に延びる前記第１開口の周縁部の長さよりも長い、  請求項１２又は１３に記載の吐出容器。
【請求項１５】
前記第２開口は、前記第１開口と連なって前記筒状部の軸方向に延びて形成されている、  請求項１〜１４のいずれか一項に記載の吐出容器。
【請求項１６】
前記第２開口における前記筒状部の軸方向の長さに対する前記筒状部の内径の割合は、０．３以上であり、３．５以下である、  請求項１〜１５のいずれか一項に記載の吐出容器。
【請求項１７】
前記第２開口における前記筒状部の軸方向の長さは、前記第２開口における前記筒状部の周方向の長さよりも長い、  請求項１〜１６のいずれか一項に記載の吐出容器。
【請求項１８】
前記第２開口における前記筒状部の周方向の幅は、前記一側に進むにつれて小さくなっている、  請求項１〜１７のいずれか一項に記載の吐出容器。
【請求項１９】
前記多孔部は、メッシュ形状を有している、  請求項１〜１８のいずれか一項に記載の吐出容器。
【請求項２０】
前記吐出ヘッド用アタッチメントは、前記筒状部の軸方向が、横向き又は斜め下向きになるように前記吐出口に接続されている、  請求項１〜１９のいずれか一項に記載の吐出容器。
【請求項２１】
泡が吐出される吐出口を有する吐出ヘッドに装着される吐出ヘッド用アタッチメントであって、  一側で前記吐出口と接続可能であり、他側に第１開口を有する筒状部と、  前記筒状部の前記一側に設けられる多孔部と、  を備え、  前記筒状部の側部には、第２開口が形成されており、  前記第１開口の周縁部は、少なくとも部分的に前記筒状部の周方向に沿って延在している、  吐出ヘッド用アタッチメント。
【請求項２２】
前記多孔部の目開きは、前記吐出ヘッドから前記吐出ヘッド用アタッチメントに送られる前記泡の平均泡径より小さい、  請求項２１に記載の吐出ヘッド用アタッチメント。
【請求項２３】
前記多孔部の目開き率は、１０％より大きい、  請求項２１又は２２に記載の吐出ヘッド用アタッチメント。
【請求項２４】
前記筒状部の内径は、前記多孔部より前記第１開口側において、前記多孔部に近づくにつれて小さくなっている、  請求項２１〜２３のいずれか一項に記載の吐出ヘッド用アタッチメント。
【請求項２５】
前記筒状部の軸方向の中央側には、当該筒状部の周方向の外側に突出したフランジ部が形成されている、  請求項２１〜２４のいずれか一項に記載の吐出ヘッド用アタッチメント。
【請求項２６】
複数の前記第２開口が前記筒状部の周方向に間隔を空けて形成されている、  請求項２１〜２５のいずれか一項に記載の吐出ヘッド用アタッチメント。
【請求項２７】
前記第１開口の周縁部は、隣り合う前記第２開口の間において、前記筒状部の周方向に沿って延在している、  請求項２６に記載の吐出ヘッド用アタッチメント。
【請求項２８】
前記第２開口における前記筒状部の軸方向の長さは、隣り合う前記第２開口の間に延びる前記第１開口の周縁部の長さよりも長い、  請求項２６又は２７に記載の吐出ヘッド用アタッチメント。
【請求項２９】
前記第２開口は、前記第１開口と連なって前記筒状部の軸方向に延びて形成されている、  請求項２１〜２８のいずれか一項に記載の吐出ヘッド用アタッチメント。
【請求項３０】
前記第２開口における前記筒状部の軸方向の長さに対する前記筒状部の内径の割合は、０．３以上であり、３．５以下である、  請求項２１〜２９のいずれか一項に記載の吐出ヘッド用アタッチメント。
【請求項３１】
前記第２開口における前記筒状部の軸方向の長さは、前記第２開口における前記筒状部の周方向の長さよりも長い、  請求項２１〜３０のいずれか一項に記載の吐出ヘッド用アタッチメント。
【請求項３２】
前記第２開口における前記筒状部の周方向の幅は、前記一側に進むにつれて小さくなっている、  請求項２１〜３１のいずれか一項に記載の吐出ヘッド用アタッチメント。
【請求項３３】
前記多孔部は、メッシュ形状を有している、  請求項２１〜３２のいずれか一項に記載の吐出ヘッド用アタッチメント。
【発明の詳細な説明】
【技術分野】
【０００１】  本発明は、吐出容器に関する。
【背景技術】
【０００２】  従来、ボディウォッシュ等の液体を泡として吐出する吐出容器が広く利用されている。具体的には、吐出容器に収容される液体が空気等の気体と混合されることにより泡が生成され、このように生成された泡が吐出容器の吐出ヘッドに形成されている吐出口から吐出されるようになっている。【０００３】  例えば、特許文献１には、吐出ヘッドにアタッチメントを装着し、当該アタッチメントの形状を工夫することによって、吐出容器により吐出される泡の見映えを向上させる技術が開示されている。
【先行技術文献】
【特許文献】
【０００４】
【特許文献１】特開２０１８−０５２６１０号公報
【発明の概要】
【発明が解決しようとする課題】
【０００５】  しかしながら、特許文献１に開示されている技術等の従来の技術では、泡の保形性を十分に確保することができず、泡の見映えの向上には改善の余地があった。【０００６】  そこで、本発明は、吐出容器により吐出される泡の見映えを効果的に向上させることに関する。
【課題を解決するための手段】
【０００７】  上記課題を解決するために、本発明のある観点は、泡が吐出される吐出口を有する吐出ヘッド及び当該吐出ヘッドに装着される吐出ヘッド用アタッチメントを備える吐出容器であって、吐出ヘッド用アタッチメントは、一側で吐出口と接続されており、他側に第１開口を有する筒状部と、筒状部の一側に設けられる多孔部と、を含み、筒状部の側部には、第２開口が形成されており、第１開口の周縁部は、少なくとも部分的に筒状部の周方向に沿って延在している、吐出容器に関する。
【発明の効果】
【０００８】  以上説明したように本発明の吐出容器によれば、吐出容器により吐出される泡の見映えを効果的に向上させることができる。
【図面の簡単な説明】
【０００９】
【図１】本発明の実施形態に係る吐出容器を示す側面部分断面図である。
【図２】同実施形態に係る吐出ヘッド用アタッチメントを示す斜視図である。
【図３】同実施形態に係る吐出ヘッド用アタッチメントを示す側面部分断面図である。
【図４】同実施形態に係る吐出ヘッド用アタッチメントに設けられる多孔部を部分的に示す図である。
【図５】同実施形態に係る吐出ヘッド用アタッチメントを用いて形成された泡体を模式的に示す図である。
【図６】図２及び図３に示す吐出ヘッド用アタッチメントと異なる他の実施形態に係る吐出ヘッド用アタッチメントを示す斜視図である。
【図７】同実施形態に係る吐出ヘッド用アタッチメントを示す側面部分断面図である。
【発明を実施するための形態】
【００１０】  以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１１】  本発明の実施形態は、吐出容器に関する。具体的には、本発明の実施形態に係る吐出容器１は、液体を空気と混合することにより泡を生成し、当該泡を吐出ヘッドの吐出口から吐出する吐出容器である。
【００１２】  なお、以下では、吐出ノズルが押し下げられることに連動してポンプ機構が動作することにより吐出ノズルの吐出口から泡を吐出するポンプ式の吐出容器である吐出容器１について説明するが、本発明に係る吐出容器は、吐出ノズルの吐出口から泡を吐出するものであればよく、例えば、容器本体がスクイズされることにより吐出ノズルの吐出口から泡を吐出するスクイズ式の吐出容器であってもよい。
【００１３】  ＜吐出容器の全体構成＞  まず、図１を参照して、本発明の実施形態に係る吐出容器１の構成について説明する。
【００１４】  図１は、吐出容器１を示す側面部分断面図である。
【００１５】  なお、本明細書では、理解を容易にするために、後述する容器本体１０からディスペンサ２０に向かう方向を上方向と呼ぶ。ここで、吐出容器１はユーザに利用される際に種々の姿勢を取り得るので、容器本体１０からディスペンサ２０に向かう方向は必ずしも鉛直上方向を意味するものではない。
【００１６】  図１に示すように、吐出容器１は、泡が吐出される吐出口２１ｄを有する吐出ヘッド２１及び当該吐出ヘッド２１に装着される吐出ヘッド用アタッチメント３０を備える。具体的には、吐出容器１は、液体が収容される容器本体１０と、吐出ヘッド２１を含むディスペンサ２０と、吐出ヘッド用アタッチメント３０とを備える。
【００１７】  容器本体１０は、上端に口部を有する中空形状の部材であり、当該口部にディスペンサ２０が取り付けられる。吐出容器１によって吐出される泡を形成する液体は、容器本体１０の内部に収容される。容器本体１０に収容される液体としては、種々の液体が適用され、特に限定されるものではないが、例えば、ボディウォッシュ、ハンドウォッシュ、洗顔剤等の液体洗浄剤、頭髪用化粧料（例えば、整髪剤、固定剤又は育毛剤等）、肌用化粧料（例えば、化粧水、乳液又は美容液等）、シェービングフォーム又は食器用洗剤等が適用される。さらに、当該液体の粘度についても、特に限定されるものではないが、例えば、２５℃において、好ましくは、１ｍＰａ・ｓ以上が好ましく、２ｍＰａ・ｓ以上がより好ましく、１０００ｍＰａ・ｓ以下が好ましく、５００ｍＰａ・ｓ以下がより好ましく、１００ｍＰａ・ｓ以下がさらにより好ましい。なお、上記液体の粘度は、例えば、Ｂ型粘度計を用いて測定することができる。なお、粘度を測定する際の測定条件は、各粘度計において粘度レベルに基づいて定められた回転子タイプ、回転速度、回転時間を適宜選択することができる。容器本体１０は、例えば、樹脂によって形成されている。
【００１８】  ディスペンサ２０は、容器本体１０内に収容されている液体を泡として吐出する。ディスペンサ２０は、例えば、樹脂によって形成されている。
【００１９】  具体的には、ディスペンサ２０は、図１に示すように、吐出ヘッド２１と、キャップ２２とを含む。キャップ２２が容器本体１０の口部に螺合されることによって、ディスペンサ２０が容器本体１０に装着される。また、ディスペンサ２０は、容器本体１０内に収容されている液体を空気と混合することにより泡を生成し、当該泡を吐出ヘッド２１へ送る図示しないポンプ機構を含む。
【００２０】  ポンプ機構としては、公知の機構を広く適用することができる。例えば、ポンプ機構は、液用シリンダ内を上下方向に摺動可能な液用ピストンと空気用シリンダ内を上下方向に摺動可能な空気用ピストンと、容器本体１０の口部より内側に配置され液用ピストン及び空気用ピストンと連動して上下方向に移動可能なステムと、ステムを上方に付勢するスプリングとを有している。
【００２１】  吐出ヘッド２１の下部には、液用ピストンから供給される液体と空気用シリンダから供給される空気とが混合される混合室２９が形成されている。吐出ヘッド２１が押し下げられると、ステムとともに液用ピストン及び空気用ピストンが押し下げられ、液用ピストンから混合室２９に容器本体１０内に収容されている液体が供給され、空気用シリンダから混合室２９に空気が供給される。それにより、混合室２９において、液体が空気と混合されることによって、泡が生成される。
【００２２】  吐出ヘッド２１は、キャップ２２の径方向の中央側から上方に突設される管状部２２ａの内側に挿通され上下方向に延在する第１円筒部２１ａと、キャップ２２の管状部２２ａの外周部を覆い上下方向に延在する第２円筒部２１ｂと、第１円筒部２１ａの上部から当該第１円筒部２１ａの径方向に延在するノズル部２１ｃとを有する。
【００２３】  第１円筒部２１ａの内部流路は、ノズル部２１ｃの内部流路と連通しており、ノズル部２１ｃの先端に吐出口２１ｄが形成されている。また、第１円筒部２１ａの内部流路の下部に上述した混合室２９が形成されおり、第１円筒部２１ａの内部流路における混合室２９より下流（つまり、上側）には、下方から順に第１多孔体２３及び第２多孔体２４が設けられている。ゆえに、混合室２９において形成された泡は、第１多孔体２３及び第２多孔体２４を通過することによりきめ細かくなった後に、第１円筒部２１ａの内部流路を通ってノズル部２１ｃの内部流路に送られる。その後、泡は、ノズル部２１ｃの先端の吐出口２１ｄから吐出される。
【００２４】  ここで、吐出容器１では、吐出ヘッド２１の吐出口２１ｄに吐出ヘッド用アタッチメント３０が装着されている。ゆえに、ディスペンサ２０によって生成された泡は、吐出ヘッド２１内を通過して吐出口２１ｄから吐出ヘッド用アタッチメント３０に送られ、吐出ヘッド用アタッチメント３０内を通過して吐出容器１の外部に吐出される。
【００２５】  吐出ヘッド用アタッチメント３０は、吐出容器１により吐出される泡の見映えを向上させるための部材である。吐出容器１では、ディスペンサ２０によって生成された泡が吐出ヘッド用アタッチメント３０内を通過して吐出容器１の外部に流出するので、吐出ヘッド用アタッチメント３０の形状に応じた所望の形状を有する泡を吐出することが可能となる。さらに、吐出容器１では、後述するように吐出ヘッド用アタッチメント３０に多孔部が設けられていることにより、泡の保形性を向上させることができる。ゆえに、吐出容器１により吐出される泡の見映えを効果的に向上させることができる。このような吐出ヘッド用アタッチメント３０については、後述にて詳細に説明する。
【００２６】  ＜吐出ヘッド用アタッチメント＞  続いて、図１〜図７を参照して、本発明の実施形態に係る吐出ヘッド用アタッチメント３０の構成について詳細に説明する。
【００２７】  図２及び図３は、それぞれ吐出ヘッド用アタッチメント３０を示す斜視図及び側面部分断面図である。
【００２８】  図１〜図３に示すように、吐出ヘッド用アタッチメント３０は、一側で吐出ヘッド２１の吐出口２１ｄと接続されており他側に第１開口３１ａを有する筒状部３１と、筒状部３１の一側に設けられる多孔部３２とを含む。また、筒状部３１の側部には、第２開口３１ｂが形成されており、第１開口３１ａの周縁部は、少なくとも部分的に筒状部３１の周方向に沿って延在している。
【００２９】  吐出ヘッド用アタッチメント３０は、例えば、ポリエチレン、ポリプロピレン、ポリエチレンテレフタレート又はＡＢＳ樹脂等の樹脂によって形成されている。また、吐出ヘッド用アタッチメント３０は、例えば、射出成形によって製造され、その場合、筒状部３１と多孔部３２とは、一体的に形成される。
【００３０】  筒状部３１は、両端に開口を有する筒状の部分であり、具体的には、略円筒形状を有する。
【００３１】  筒状部３１における当該筒状部３１の軸方向の中央側には、当該筒状部３１の周方向の外側に突出したフランジ部３１ｃが形成されている。筒状部３１におけるフランジ部３１ｃに対して一側（つまり、第１開口３１ａ側と逆側）の部分に相当する嵌合部３１ｄが、吐出ヘッド２１の吐出口２１ｄからノズル部２１ｃの内周部に挿入されて嵌合されている。ゆえに、嵌合部３１ｄの横断面形状は、ノズル部２１ｃの横断面形状に対応する形状となっている。フランジ部３１ｃがノズル部２１ｃの先端に突き当たることによって、吐出ヘッド用アタッチメント３０が吐出ヘッド２１に対して位置決めされる。このように、吐出ヘッド用アタッチメント３０は、一側で吐出ヘッド２１の吐出口２１ｄと接続可能である。
【００３２】  吐出容器１において、吐出ヘッド用アタッチメント３０は、筒状部３１の軸方向が、横向き又は斜め下向きになるように、吐出ヘッド２１の吐出口２１ｄに接続されている。すなわち、吐出ヘッド用アタッチメント３０ｂの流路は、横向き又は斜め下向きであることが好ましい。
【００３３】  筒状部３１におけるフランジ部３１ｃに対して他側（つまり、第１開口３１ａ側）の側部には、第２開口３１ｂが形成されている。具体的には、複数の第２開口３１ｂが筒状部３１の周方向に間隔を空けて形成されており、各第２開口３１ｂは、第１開口３１ａと連なって筒状部３１の軸方向に延びて形成されている。ゆえに、図２及び図３に示すように、第１開口３１ａの周縁部は、隣り合う第２開口３１ｂの間において、筒状部３１の周方向に沿って延在している。図２では、６つの第２開口３１ｂが筒状部３１の周方向に等間隔に配置されている例が示されている。
【００３４】  多孔部３２は、複数の貫通孔が形成された膜状の部分であり、筒状部３１における一側（つまり、第１開口３１ａ側と逆側）に設けられている。具体的には、多孔部３２は、筒状部３１における一側の先端部に設けられている。吐出ヘッド２１から吐出ヘッド用アタッチメント３０に送られる泡は、多孔部３２を通過することによって、さらにきめ細かくなる。このように、多孔部３２は、吐出容器１から吐出される泡の径である泡径を小さくする機能を有する。
【００３５】  図４は、多孔部３２を部分的に示す図である。
【００３６】  具体的には、多孔部３２は、図４に示すように、メッシュ形状を有している。詳細には、多孔部３２は、互いに間隔を空けて第１の方向に延びる複数の糸状部３２ａと、互いに間隔を空けて第１の方向と直交する第２の方向に延びる複数の糸状部３２ｂとを有しており、複数の糸状部３２ａ及び複数の糸状部３２ｂによって略矩形状の複数の孔部３２ｃが画成されている。多孔部３２では、複数の糸状部３２ａ及び複数の糸状部３２ｂはそれぞれ等間隔に配置されており、隣り合う糸状部３２ａ間の間隔と隣り合う糸状部３２ｂ間の間隔とは、略一致している。ゆえに、各孔部３２ｃは同一寸法の略正方形状を有している。
【００３７】  ここで、図４に示すように、多孔部３２の目開きＬ１［μｍ］は、孔部３２ｃの一辺の長さ（つまり、隣り合う糸状部間の距離）に相当する。また、多孔部３２における糸状部の線径Ｄ１［μｍ］は各糸状部の間で略一致しており、目開き率Ｒ１［％］は下記式（１）により表される。
【００３８】
【数１】
2020110331.tif 000003
【００３９】  上述したように、吐出容器１では、吐出ヘッド２１から吐出ヘッド用アタッチメント３０に送られる泡が多孔部３２を通過することによって、当該泡の泡径を小さくすることができる。ここで、本件発明者は、後述にて説明する試験の結果を通じて、吐出容器１により吐出される泡の泡径を小さくすることによって、当該泡の保形性を向上させることができることを見出した。また、本件発明者は、上記試験の結果を通じて、吐出容器１により吐出される泡の保形性をより効果的に向上させる観点で好ましい多孔部３２の寸法に関する知見を得た。
【００４０】  具体的には、吐出容器１により吐出される泡の保形性をより効果的に向上させる観点では、多孔部３２の目開きＬ１は、吐出ヘッド２１から吐出ヘッド用アタッチメント３０に送られる泡の平均泡径より小さいことが好ましいことを見出した。
【００４１】  また、吐出容器１により吐出される泡の保形性をより効果的に向上させる観点では、多孔部３２の目開き率Ｒ１は、１０％より大きいことが好ましいことを見出した。ここで、多孔部３２の目開き率Ｒ１は、吐出ヘッド２１の内部流路に設けられる多孔体（具体的には、第１多孔体２３及び第２多孔体２４）の目開き率と同じか、又は、当該多孔体の目開き率より小さいことが好ましい。
【００４２】  多孔部３２の材質としては、好ましくはナイロン、ポリエステル等を用いることができる。
【００４３】  上記で説明したように、吐出容器１の吐出ヘッド２１に装着される吐出ヘッド用アタッチメント３０の筒状部３１の側部には、第２開口３１ｂが形成されている。また、第１開口３１ａの周縁部は、少なくとも部分的に筒状部３１の周方向に沿って延在している。それにより、吐出ヘッド２１から吐出ヘッド用アタッチメント３０に送られる泡を、第１開口３１ａから筒状部３１の軸方向に吐出するとともに、各第２開口３１ｂを通って筒状部３１の径方向外側に向けて吐出することができる。図２及び図３では、第１開口３１ａから吐出される泡の流れが矢印Ｍ１によって示されており、各第２開口３１ｂから吐出される泡の流れが矢印Ｍ２によって示されている。このように、矢印Ｍ１によって示される第１開口３１ａを通る泡の流れと、矢印Ｍ２によって示される各第２開口３１ｂを通る泡の流れとが形成されることによって、所望の形状を有する泡を吐出することが可能となる。
【００４４】  上記観点から、第２開口３１ｂにおける筒状部３１の軸方向の長さＳ１に対する筒状部３１の内径Ｓ３の割合Ｓ３／Ｓ１は、０．３以上であることが好ましく、０．５以上であることがより好ましく、また、３．５以下であることが好ましく、３．０以下であることがより好ましい。これは、上記割合Ｓ３／Ｓ１を過度に小さくなく、かつ、過度に大きくない適切な範囲内の値にすることによって、各第２開口３１ｂを通る泡の流れが適切に形成され、吐出ヘッド用アタッチメント３０を用いて形成される泡体にエッジ部（例えば、後述する図５における泡体９のエッジ部９ａ）が形成されやすくなることにより、吐出される泡の形状として所望の形状を得やすくなることによるものである。なお、第１開口３１ａの形状が円形以外である場合には、筒状部３１の内径Ｓ３の値として、例えば、第１開口３１ａの開口面積と同一の面積を有する円の直径を用いることができる。また、第２開口３１ｂにおける筒状部３１の軸方向の長さＳ１は、隣り合う第２開口３１ｂの間に延びる第１開口３１ａの周縁部の長さＳ６よりも長いことが好ましい。また、第２開口３１ｂにおける筒状部３１の軸方向の長さＳ１は、第２開口３１ｂにおける筒状部３１の周方向の長さＳ５よりも長いことが好ましい。
【００４５】  図５は、吐出ヘッド用アタッチメント３０を用いて形成された泡体９を模式的に示す図である。
【００４６】  泡体９は、泡を受ける対象である泡受け体（例えば、手の平等）に対して吐出容器１から泡を吐出させることによって、泡受け体上に形成された泡の造形物である。図５に示すように、吐出ヘッド用アタッチメント３０を用いて形成された泡体９には、中央部から外側に向けて放射状に６つのエッジ部９ａが形成されている。これらのエッジ部９ａは、吐出容器１から泡を吐出させる際に、吐出ヘッド用アタッチメント３０の各第２開口３１ｂを通る泡の流れが形成されることによって、泡体９に形成される。このように、上述した吐出ヘッド用アタッチメント３０を用いることによって、泡体９の形状として所望の形状を得ることができる。
【００４７】  筒状部３１におけるフランジ部３１ｃに対して第１開口３１ａ側の強度を確保しつつ、吐出される泡の形状として所望の形状を得やすくする観点では、第２開口３１ｂにおける筒状部３１の周方向の長さＳ５は、１ｍｍ以上であることが好ましく、１．２ｍｍ以上であることがより好ましく、また、２ｍｍ以下であることが好ましく、１．８ｍｍ以下であることがより好ましい。これは、上記長さＳ５をある程度以上にすることによって吐出される泡の形状として所望の形状を得やすくなることと、上記長さＳ５が過度に長い場合には筒状部３１におけるフランジ部３１ｃに対して第１開口３１ａ側の強度が低下してしまうことによるものである。
【００４８】  筒状部３１におけるフランジ部３１ｃに対して第１開口３１ａ側の強度を確保しつつ、吐出される泡の形状として所望の形状を得やすくする観点では、第２開口３１ｂにおける筒状部３１の軸方向の長さＳ１は、４ｍｍ以上であることが好ましく、５ｍｍ以上であることがより好ましく、また、８ｍｍ以下であることが好ましく、７ｍｍ以下であることがより好ましい。これは、上記長さＳ１をある程度以上にすることによって吐出される泡の形状として所望の形状を得やすくなることと、上記長さＳ１が過度に長い場合には筒状部３１におけるフランジ部３１ｃに対して第１開口３１ａ側の強度が低下してしまうことによるものである。
【００４９】  吐出される泡の形状として所望の形状を得やすくする観点では、第２開口３１ｂとフランジ部３１ｃとの間での筒状部３１の軸方向の間隔Ｓ２は、０．５ｍｍ以上であることが好ましく、１ｍｍ以上であることがより好ましい。これは、上記間隔Ｓ２をある程度以上にすることによって、第２開口３１ｂを通過した泡がフランジ部３１ｃに触れることを抑制することができるので、泡体９に形成されるエッジ部９ａが所望の形状に対して太くなることを抑制することができることによるものである。
【００５０】  吐出される泡の形状として所望の形状を得やすくする観点では、筒状部３１におけるフランジ部３１ｃに対して第１開口３１ａ側の外径Ｓ４は、５ｍｍ以上であることが好ましく、７ｍｍ以上であることがより好ましく、また、１５ｍｍ以下であることが好ましく、１０ｍｍ以下であることがより好ましい。これは、上記外径Ｓ４を過度に小さくなく、かつ、過度に大きくない適切な範囲内の寸法にすることによって、吐出される泡の形状として所望の形状を得やすくなることによるものである。
【００５１】  吐出される泡の形状として所望の形状を得やすくする観点では、筒状部３１の内径Ｓ３は、４ｍｍ以上であることが好ましく、５ｍｍ以上であることがより好ましく、また、１３ｍｍ以下であることが好ましく、１０ｍｍ以下であることがより好ましい。これは、上記内径Ｓ３を過度に小さくなく、かつ、過度に大きくない適切な範囲内の寸法にすることによって、吐出される泡の形状として所望の形状を得やすくなることによるものである。
【００５２】  また、上記で説明したように、吐出容器１では、吐出ヘッド用アタッチメント３０の筒状部３１の一側に多孔部３２が設けられる。それにより、吐出ヘッド２１から吐出ヘッド用アタッチメント３０に送られる泡を、多孔部３２を通過させた後に吐出容器１の外部に吐出することができる。ゆえに、吐出容器１から吐出される泡の泡径を小さくことができる。それにより、吐出容器１から吐出される泡の保形性を向上させることができる。ゆえに、吐出容器１により吐出される泡の見映えを効果的に向上させることができる。
【００５３】  ここで、吐出ヘッド２１から吐出ヘッド用アタッチメント３０に送られる泡の圧力は、多孔部３２を通過する際に増大する。ゆえに、吐出ヘッド用アタッチメント３０に多孔部３２が設けられることによって、多孔部３２が設けられない場合と比較して、第２開口３１ｂを通って筒状部３１の径方向外側に向けて吐出される泡の流れの勢いを増大させることができる。それにより、吐出容器１により吐出される泡の形状として所望の形状をより得やすくすることができる。
【００５４】  上記では、吐出容器１の吐出ヘッド２１に装着される吐出ヘッド用アタッチメントとして吐出ヘッド用アタッチメント３０を説明したが、吐出ヘッド２１に装着される吐出ヘッド用アタッチメントの形状は、上記で説明した例に特に限定されない。以下では、吐出ヘッド２１に装着される吐出ヘッド用アタッチメントの他の例として、上記で説明した図２及び図３に示す吐出ヘッド用アタッチメント３０と異なる他の実施形態に係る吐出ヘッド用アタッチメント１３０について説明する。
【００５５】  吐出ヘッド用アタッチメント１３０は、上述した吐出ヘッド用アタッチメント３０と比較して、主に、筒状部に形成されている第２開口の形状及び数について異なる。
【００５６】  図６及び図７は、それぞれ吐出ヘッド用アタッチメント１３０を示す斜視図及び側面部分断面図である。
【００５７】  図６及び図７に示すように、吐出ヘッド用アタッチメント１３０は、筒状部１３１と、多孔部１３２とを含む。上述した吐出ヘッド用アタッチメント３０と同様に、筒状部１３１は、一側で吐出ヘッド２１の吐出口２１ｄと接続されており、他側に第１開口１３１ａを有する。また、多孔部１３２は、複数の貫通孔が形成された膜状の部分であり、筒状部１３１の一側（つまり、第１開口１３１ａ側と逆側）に設けられている。また、吐出ヘッド用アタッチメント１３０は、例えば、射出成形によって製造される。
【００５８】  筒状部１３１における当該筒状部１３１の軸方向の中央側には、当該筒状部１３１の周方向の外側に突出したフランジ部１３１ｃが形成されている。筒状部１３１におけるフランジ部１３１ｃに対して一側（つまり、第１開口１３１ａ側と逆側）の嵌合部１３１ｄが吐出ヘッド２１の吐出口２１ｄからノズル部２１ｃの内周部に挿入されて嵌合され、フランジ部１３１ｃがノズル部２１ｃの先端に突き当たることによって、吐出ヘッド用アタッチメント１３０が吐出ヘッド２１に対して位置決めされる。
【００５９】  ここで、筒状部１３１におけるフランジ部１３１ｃに対して他側（つまり、第１開口１３１ａ側）の側部には、略Ｖ字形状の１つの第２開口１３１ｂが第１開口１３１ａと連なって形成されている。詳細には、第２開口１３１ｂにおける筒状部１３１の周方向の幅は、一側（つまり、第１開口１３１ａ側と逆側）に進むにつれて小さくなっている。第１開口１３１ａの周縁部は、第２開口１３１ｂと接続されている部分を除いて、筒状部１３１の周方向に沿って延在している。なお、多孔部１３２は、筒状部１３１における第２開口１３１ｂに対して一側（つまり、第１開口１３１ａ側と逆側）に設けられる。
【００６０】  上記で説明したように、吐出ヘッド用アタッチメント１３０においても、上述した吐出ヘッド用アタッチメント３０と同様に、筒状部１３１の側部には、第２開口１３１ｂが形成されている。また、第１開口１３１ａの周縁部は、少なくとも部分的に筒状部１３１の周方向に沿って延在している。それにより、吐出ヘッド２１から吐出ヘッド用アタッチメント１３０に送られる泡を、第１開口１３１ａから筒状部１３１の軸方向に吐出するとともに、第２開口１３１ｂを通って筒状部１３１の径方向外側に向けて吐出することができる。図６及び図７では、第１開口１３１ａから吐出される泡の流れが矢印Ｍ１１によって示されており、第２開口１３１ｂから吐出される泡の流れが矢印Ｍ１２によって示されている。このように、矢印Ｍ１１によって示される第１開口１３１ａを通る泡の流れと、矢印Ｍ１２によって示される第２開口１３１ｂを通る泡の流れとが形成されることによって、所望の形状を有する泡を吐出することが可能となる。
【００６１】  また、上記で説明したように、吐出ヘッド用アタッチメント１３０においても、上述した吐出ヘッド用アタッチメント３０と同様に、筒状部１３１の一側に多孔部１３２が設けられる。それにより、吐出ヘッド２１から吐出ヘッド用アタッチメント１３０に送られる泡を、多孔部１３２を通過させた後に吐出容器１の外部に吐出することができる。ゆえに、吐出容器１から吐出される泡の泡径を小さくことができる。それにより、吐出容器１から吐出される泡の保形性を向上させることができる。ゆえに、吐出容器１により吐出される泡の見映えを効果的に向上させることができる。
【００６２】  以上説明したように、吐出容器１の吐出ヘッド２１に装着される吐出ヘッド用アタッチメントの形状は特に限定されない。例えば、図２及び図３に示すように、吐出ヘッド用アタッチメント３０におけるフランジ部３１ｃに対して他側（つまり、第１開口３１ａ側）の部分の形状は略円筒形状であり、一方、図６及び図７に示すように、吐出ヘッド用アタッチメント１３０におけるフランジ部１３１ｃに対して他側（つまり、第１開口１３１ａ側）の部分の形状は略角丸四角筒形状である。
【００６３】  ここで、吐出ヘッド用アタッチメント３０，１３０の製造コストの増大を抑制する観点では、図３及び図７にそれぞれ示すように、筒状部３１，１３１の内径は、多孔部３２，１３２より第１開口３１ａ，１３１ａ側において、多孔部３２，１３２に近づくにつれて小さくなっていることが好ましい。それにより、吐出ヘッド用アタッチメント３０，１３０を射出成形によって製造する際に、筒状部３１，１３１の内部における多孔部３２，１３２に対して他側（つまり、第１開口３１ａ，１３１ａ側）に位置する金型を容易に筒状部３１，１３１の内部から引き抜くことができる。よって、吐出ヘッド用アタッチメント３０，１３０の製造コストの増大を抑制することができる。
【実施例】
【００６４】  以下では、吐出容器１により吐出される泡の保形性と多孔部３２の寸法との関係について確認するために行った試験の結果について説明する。【００６５】  本試験では、多孔部３２の寸法を様々に異ならせた条件下で上述した吐出ヘッド用アタッチメント３０を備える吐出容器１を用いて泡を吐出させることによって、各条件について、吐出時の平均泡径及び吐出される泡の保形性を評価した。吐出時の平均泡径は、吐出ヘッド用アタッチメント３０の多孔部３２を通過した後における泡の泡径の平均値である。さらに、本試験では、各条件について、吐出ヘッド２１を押し下げる力の程度を示す指標である押力を評価した。【００６６】  詳細には、本試験では、吐出容器１からガラスシリンダー内に泡を吐出し、当該泡の吐出された時点から略１秒経過した時点での平均泡径を、泡径測定機を用いることによって測定した。なお、泡径測定機としては、概略的には、撮像された泡を映す画像に対して画像処理を施すことによって、泡径等の各種情報を得る装置を用いた。【００６７】  また、本試験では、吐出容器１から略１〜２ｃｍ離れた手の平に対して泡を吐出し、手の平上に形成された泡体を目視にて観察することによって、吐出容器１により吐出される泡の保形性を評価した。なお、泡の吐出方向に対して手の平を略直交させた状態で、泡の吐出を行った。【００６８】  また、本試験では、吐出ヘッド２１を略３０ｍｍ／ｓの速度で下死点まで押し下げた際の最大応力を、応力測定機を用いることによって押力として測定した。なお、応力測定機としては、ロードセルを用いて吐出ヘッド２１に付与されている力を検出することによって、吐出ヘッド２１に生じている応力を測定する装置を用いた。【００６９】  また、本試験では、試験条件として、多孔部３２の寸法に関する値のうち、多孔部３２の目開きＬ１、多孔部３２における糸状部の線径Ｄ１、多孔部３２の目開き率Ｒ１、及び多孔部３２の厚さを様々に異ならせた。さらに、他の試験条件として、容器本体１０に収容される液体の粘度を様々に異ならせた。なお、ディスペンサ２０の吐出ヘッド２１内の第１多孔体２３及び第２多孔体２４としては、同一寸法のメッシュ状の多孔体を用いており、当該多孔体では、目開きを７７μｍとし、糸状部の線径を５０μｍとし、目開き率を３７％とし、厚さを８３μｍとした。上述したように、多孔部３２の目開き率Ｒ１は、当該多孔体の目開き率（本試験では、３７％）と同じか、又は、当該多孔体の目開き率より小さいことが好ましい。【００７０】  本試験の結果を表１〜表３に示す。表１，２，３は、容器本体１０に収容される液体として粘度が８．５ｍＰａ・ｓ，５．８ｍＰａ・ｓ，２．０ｍＰａ・ｓである液体をそれぞれ用いた場合の結果である。なお、以下では、泡の保形性の評価結果を「×」、「△」、「○」及び「◎」の各記号により表しており、「×」、「△」、「○」、「◎」の順に泡の保形性が高くなっていく（つまり、良好になっていく）ことを示している。【００７１】
【表１】
2020110331.tif 000004
【００７２】
【表２】
2020110331.tif 000005
【００７３】
【表３】
2020110331.tif 000006
【００７４】  ここで、上記試験とは別に、吐出ヘッド２１から吐出ヘッド用アタッチメント３０に送られる泡の平均泡径を調査した。具体的には、吐出ヘッド用アタッチメント３０の構成から多孔部３２を省略した吐出ヘッド用アタッチメントを吐出ヘッド２１に装着させた状態で、吐出時の平均泡径を計測した。その結果、吐出ヘッド２１から吐出ヘッド用アタッチメント３０に送られる泡の平均泡径は、容器本体１０に収容される液体の粘度が８．５ｍＰａ・ｓ，５．８ｍＰａ・ｓ，２．０ｍＰａ・ｓである場合に、それぞれ略１０５μｍ，略１２５μｍ，略１５３μｍであることがわかった。【００７５】  表１（液体の粘度が８．５ｍＰａ・ｓである場合の試験結果）を参照すると、多孔部３２の目開きＬ１が吐出ヘッド２１から吐出ヘッド用アタッチメント３０に送られる泡の平均泡径（略１０５μｍ）より大きい条件１と比較して、目開きＬ１が上記平均泡径より小さい条件２〜４では、保形性がより向上されていることがわかる。さらに、表１を参照すると、目開きＬ１が上記平均泡径より小さいものの多孔部３２の目開き率Ｒ１が１０％より小さい条件５と比較して、多孔部３２の目開き率Ｒ１が１０％より大きい条件２〜４では、保形性がより向上されていることがわかる。【００７６】  また、表２（液体の粘度が５．８ｍＰａ・ｓである場合の試験結果）を参照すると、多孔部３２の目開きＬ１が吐出ヘッド２１から吐出ヘッド用アタッチメント３０に送られる泡の平均泡径（略１２５μｍ）より大きい条件６と比較して、目開きＬ１が上記平均泡径より小さい条件７〜９では、保形性がより向上されていることがわかる。さらに、表２を参照すると、目開きＬ１が上記平均泡径より小さいものの多孔部３２の目開き率Ｒ１が１０％より小さい条件１０と比較して、多孔部３２の目開き率Ｒ１が１０％より大きい条件７〜９では、保形性がより向上されていることがわかる。【００７７】  また、表３（液体の粘度が２．０ｍＰａ・ｓである場合の試験結果）を参照すると、多孔部３２の目開きＬ１が吐出ヘッド２１から吐出ヘッド用アタッチメント３０に送られる泡の平均泡径（略１５３μｍ）より大きい条件１１と比較して、目開きＬ１が上記平均泡径より小さい条件１２〜１４では、保形性がより向上されていることがわかる。さらに、表３を参照すると、目開きＬ１が上記平均泡径より小さいものの多孔部３２の目開き率Ｒ１が１０％より小さい条件１５と比較して、多孔部３２の目開き率Ｒ１が１０％より大きい条件１２〜１４では、保形性がより向上されていることがわかる。【００７８】  上記の結果から、多孔部３２の目開きＬ１を吐出ヘッド２１から吐出ヘッド用アタッチメント３０に送られる泡の平均泡径より小さくすることによって、吐出容器１により吐出される泡の保形性をより効果的に向上させることができることがわかる。このことは、目開きＬ１を吐出ヘッド２１から吐出ヘッド用アタッチメント３０に送られる泡の平均泡径より小さくすることによって、表１〜３に示すように、吐出時の平均泡径をより効果的に小さくできることに起因するものと考えられる。具体的には、吐出時の平均泡径が小さくなると、泡の弾力及び粘度が上がることによって、泡の保形性が向上するもの��考えられる。【００７９】  なお、目開きＬ１が吐出ヘッド用アタッチメント３０に送られる泡の平均泡径と同等又はそれ以上であったとしても、吐出ヘッド用アタッチメント３０に送られる泡に含まれる粗大な泡を小さくすることができるので、多孔部３２の通過前後において平均泡径が顕著には変化しなくとも、泡の保形性を向上させることができる。【００８０】  また、上記の結果から、多孔部３２の目開き率Ｒ１を１０％より大きくすることによって、吐出容器１により吐出される泡の保形性をより効果的に向上させることができることがわかる。ここで、目開き率Ｒ１が小さくなるほど、多孔部３２を通過する泡にかかる圧力が大きくなるので、多孔部３２の通過後において泡の破泡又は合一が生じやすくなることが考えられる。ゆえに、目開き率Ｒ１を１０％より大きくすることによって、泡の破泡及び合一の発生が抑制されることにより、粗大な孔が生じることが抑制される結果、泡の保形性をより効果的に向上させることができるものと考えられる。【００８１】  なお、目開き率Ｒ１が大きいほど、多孔部３２を通過する泡にかかる圧力が小さくなるので、表１〜３に示すように、目開き率Ｒ１が大きいほど、押力を小さくすることができる。ゆえに、吐出容器１の操作性を向上させ得る程度に押力が小さくなるように、目開き率Ｒ１が設定されることが好ましい。【００８２】  また、上記試験とは別に、比較例として、吐出ヘッド用アタッチメント３０の構成から多孔部３２を省略した吐出ヘッド用アタッチメントが吐出ヘッド２１に装着された吐出容器を用いて泡を吐出させ、吐出される泡の保形性を上記と同様の方法により評価した。その結果、吐出ヘッド用アタッチメントに多孔部３２が設けられていない上記の吐出容器により吐出される泡の保形性の評価結果は「×」となった。ゆえに、吐出ヘッド用アタッチメントに多孔部３２を設けることにより、泡の保形性を向上させることができることが確認された。【００８３】  以上、添付図面を参照しながら本発明の好適な実施形態について詳細に説明したが、本発明は係る例に限定されない。本発明の属する技術の分野における通常の知識を有する者であれば、特許請求の範囲に記載された技術的思想の範疇内において、各種の変更例又は応用例に想到し得ることは明らかであり、これらについても、当然に本発明の技術的範囲に属するものと了解される。【００８４】  例えば、上記では、吐出ヘッド用アタッチメント３０，１３０の筒状部１３１の側部に形成される第２開口３１ｂ，１３１ｂが第１開口３１ａ，１３１ａと連なって形成されている例を説明したが、本発明に係る第２開口は第１開口と連なっていなくてもよい。つまり、第２開口は、第１開口の周縁部まで延びて当該周縁部と接続されていなくてもよい。【００８５】  また、例えば、本発明に係る吐出ヘッド用アタッチメントにおける第２開口の形状及び数は、特に限定されず、上記で説明した吐出ヘッド用アタッチメント３０，１３０と異なっていてもよい。例えば、吐出ヘッド用アタッチメント３０における隣り合う第２開口３１ｂの間の部分（つまり、フランジ部３１ｃから第１開口３１ａ側に突出している部分）の先端が丸みを帯びた形状（例えば、球状）を有していて���よい。それにより、隣り合う第２開口３１ｂの間の上記部分にユーザの手が触れた場合における安全性を向上させることができる。【００８６】  また、例えば、上記では、吐出ヘッド用アタッチメント３０，１３０が射出成形によって製造される例を主に説明したが、本発明に係る吐出ヘッド用アタッチメントは、他の加工方法によって製造されてもよい。また、筒状部３１，１３１と多孔部３２，１３２とは、別部材として形成されてもよい。さらに、筒状部３１，１３１が複数の部材によって構成されてもよく、多孔部３２，１３２が複数の部材によって構成されてもよい。また、吐出ヘッド用アタッチメント３０，１３０において、第１開口３１ａ，１３１ａ側の部分と多孔部３２，１３２側の部分とが別部材として形成されてもよい。例えば、吐出ヘッド用アタッチメント３０，１３０は、第１開口３１ａ，１３１ａ側の部材と多孔部３２，１３２側の部材の２つの部材によって構成されてもよい。【００８７】  また、例えば、吐出ヘッド用アタッチメント３０，１３０には、第１開口３１ａ，１３１ａを覆うカバーがさらに設けられていてもよい。それにより、例えば、吐出ヘッド用アタッチメント３０における隣り合う第２開口３１ｂの間の部分（つまり、フランジ部３１ｃから第１開口３１ａ側に突出している部分）にユーザの手が触れることを抑制することができるので、安全性を向上させることができ、さらに、隣り合う第２開口３１ｂの間の上記部分が損傷する（例えば、折れ曲がる）ことを抑制することができる。【００８８】  また、例えば、上記では、ディスペンサ２０内に２つの多孔体（具体的には、第１多孔体２３及び第２多孔体２４）が設けられている例を説明したが、ディスペンサ２０内に設けられる多孔体の数は上記の例に特に限定されず、例えば、３つの多孔体がディスペンサ２０内に設けられていてもよい。【００８９】  また、上述した実施形態に関し、本発明はさらに以下の吐出容器及び吐出ヘッド用アタッチメントを開示する。【００９０】＜１＞  泡が吐出される吐出口を有する吐出ヘッド及び当該吐出ヘッドに装着される吐出ヘッド用アタッチメントを備える吐出容器であって、前記吐出ヘッド用アタッチメントは、一側で前記吐出口と接続されており、他側に第１開口を有する筒状部と、前記筒状部の前記一側に設けられる多孔部と、を含み、前記筒状部の側部には、第２開口が形成されており、前記第１開口の周縁部は、少なくとも部分的に前記筒状部の周方向に沿って延在している、吐出容器。【００９１】＜２＞  前記多孔部の目開きは、前記吐出ヘッドから前記吐出ヘッド用アタッチメントに送られる前記泡の平均泡径より小さい、前記＜１＞に記載の吐出容器。＜３＞  前記多孔部の目開き率は、１０％より大きい、前記＜１＞又は＜２＞に記載の吐出容器。＜４＞  前記筒状部の内径は、前記多孔部より前記第１開口側において、前記多孔部に近づくにつれて小さくなっている、前記＜１＞〜＜３＞のいずれか一項に記載の吐出容器。＜５＞  液体が収容される容器本体と、前記吐出ヘッドを含むディスペンサと、を備え、前記ディスペンサは、前記容器本体内に収容されている液体を空気と混合することにより泡を生成し、当該泡を前記吐出ヘッドへ送るポンプ���構を含む、前記＜１＞〜＜４＞のいずれか一項に記載の吐出容器。＜６＞  前記容器本体に収容された液体をさらに備える、前記＜５＞に記載の吐出容器。＜７＞  前記容器本体に収容される液体の粘度は、２５℃において、好ましくは、１ｍＰａ・ｓ以上が好ましく、２ｍＰａ・ｓ以上がより好ましく、１０００ｍＰａ・ｓ以下が好ましく、５００ｍＰａ・ｓ以下がより好ましく、１００ｍＰａ・ｓ以下がさらにより好ましい、前記＜５＞又は＜６＞に記載の吐出容器。＜８＞  前記吐出ヘッドの内部流路には多孔体が設けられている、前記＜１＞〜＜７＞のいずれか一項に記載の吐出容器。＜９＞  前記多孔体は、複数設けられている、前記＜８＞に記載の吐出容器。＜１０＞  前記多孔部の目開き率は、前記多孔体の目開き率と同じか、又は、前記多孔体の目開き率より小さい、前記＜８＞又は＜９＞に記載の吐出容器。＜１１＞  前記筒状部の軸方向の中央側には、当該筒状部の周方向の外側に突出したフランジ部が形成されている、前記＜１＞〜＜１０＞のいずれか一項に記載の吐出容器。＜１２＞  複数の前記第２開口が前記筒状部の周方向に間隔を空けて形成されている、前記＜１＞〜＜１１＞のいずれか一項に記載の吐出容器。＜１３＞  前記第１開口の周縁部は、隣り合う前記第２開口の間において、前記筒状部の周方向に沿って延在している、前記＜１２＞に記載の吐出容器。＜１４＞  前記第２開口における前記筒状部の軸方向の長さは、隣り合う前記第２開口の間に延びる前記第１開口の周縁部の長さよりも長い、前記＜１２＞又は＜１３＞に記載の吐出容器。＜１５＞  前記第２開口は、前記第１開口と連なって前記筒状部の軸方向に延びて形成されている、前記＜１＞〜＜１４＞のいずれか一項に記載の吐出容器。＜１６＞  前記第２開口における前記筒状部の軸方向の長さに対する前記筒状部の内径の割合は、０．３以上であることが好ましく、０．５以上であることがより好ましく、また、３．５以下であることが好ましく、３．０以下であることがより好ましい、前記＜１＞〜＜１５＞のいずれか一項に記載の吐出容器。＜１７＞  前記第２開口における前記筒状部の軸方向の長さは、前記第２開口における前記筒状部の周方向の長さよりも長い、前記＜１＞〜＜１６＞のいずれか一項に記載の吐出容器。＜１８＞  前記第２開口における前記筒状部の周方向の幅は、前記一側に進むにつれて小さくなっている、前記＜１＞〜＜１７＞のいずれか一項に記載の吐出容器。＜１９＞  前記多孔部は、メッシュ形状を有している、前記＜１＞〜＜１８＞のいずれか一項に記載の吐出容器。＜２０＞  前記吐出ヘッド用アタッチメントは、前記筒状部の軸方向が、横向き又は斜め下向きになるように前記吐出口に接続されている、前記＜１＞〜＜１９＞のいずれか一項に記載の吐出容器。【００９２】＜２１＞  泡が吐出される吐出口を有する吐出ヘッドに装着される吐出ヘッド用アタッチメントであって、一側で前記吐出口と接続可能であり、他側に第１開口を有する筒状部と、前記筒状部の前記一側に設けられる多孔部と、を備え、前記筒状部の側部には、第２開口が形成されており、前記第１開口の周縁部は、少なくとも部分的に前記筒状部の周方向に沿って延在している、吐出ヘッド用アタッチメント。��００９３】＜２２＞  前記多孔部の目開きは、前記吐出ヘッドから前記吐出ヘッド用アタッチメントに送られる前記泡の平均泡径より小さい、前記＜２１＞に記載の吐出ヘッド用アタッチメント。＜２３＞  前記多孔部の目開き率は、１０％より大きい、前記＜２１＞又は＜２２＞に記載の吐出ヘッド用アタッチメント。＜２４＞  前記筒状部の内径は、前記多孔部より前記第１開口側において、前記多孔部に近づくにつれて小さくなっている、前記＜２１＞〜＜２３＞のいずれか一項に記載の吐出ヘッド用アタッチメント。＜２５＞  前記筒状部の軸方向の中央側には、当該筒状部の周方向の外側に突出したフランジ部が形成されている、前記＜２１＞〜＜２４＞のいずれか一項に記載の吐出ヘッド用アタッチメント。＜２６＞  複数の前記第２開口が前記筒状部の周方向に間隔を空けて形成されている、前記＜２１＞〜＜２５＞のいずれか一項に記載の吐出ヘッド用アタッチメント。＜２７＞  前記第１開口の周縁部は、隣り合う前記第２開口の間において、前記筒状部の周方向に沿って延在している、前記＜２６＞に記載の吐出ヘッド用アタッチメント。＜２８＞  前記第２開口における前記筒状部の軸方向の長さは、隣り合う前記第２開口の間に延びる前記第１開口の周縁部の長さよりも長い、前記＜２６＞又は＜２７＞に記載の吐出ヘッド用アタッチメント。＜２９＞  前記第２開口は、前記第１開口と連なって前記筒状部の軸方向に延びて形成されている、前記＜２１＞〜＜２８＞のいずれか一項に記載の吐出ヘッド用アタッチメント。＜３０＞  前記第２開口における前記筒状部の軸方向の長さに対する前記筒状部の内径の割合は、０．３以上であることが好ましく、０．５以上であることがより好ましく、また、３．５以下であることが好ましく、３．０以下であることがより好ましい、前記＜２１＞〜＜２９＞のいずれか一項に記載の吐出ヘッド用アタッチメント。＜３１＞  前記第２開口における前記筒状部の軸方向の長さは、前記第２開口における前記筒状部の周方向の長さよりも長い、前記＜２１＞〜＜３０＞のいずれか一項に記載の吐出ヘッド用アタッチメント。＜３２＞  前記第２開口における前記筒状部の周方向の幅は、前記一側に進むにつれて小さくなっている、前記＜２１＞〜＜３１＞のいずれか一項に記載の吐出ヘッド用アタッチメント。＜３３＞  前記多孔部は、メッシュ形状を有している、前記＜２１＞〜＜３２＞のいずれか一項に記載の吐出ヘッド用アタッチメント。
【符号の説明】
【００９４】１  吐出容器９  泡体９ａ  エッジ部１０  容器本体２０  ディスペンサ２１  吐出ヘッド２１ａ  第１円筒部２１ｂ  第２円筒部２１ｃ  ノズル部２１ｄ  吐出口２２  キャップ２２ａ  管状部２３  第１多孔体２４  第２多孔体２９  混合室３０，１３０  吐出ヘッド用アタッチメント３１，１３１  筒状部３１ａ，１３１ａ  第１開口３１ｂ，１３１ｂ  第２開口３１ｃ，１３１ｃ  フランジ部３１ｄ，１３１ｄ  嵌合部３２，１３２  多孔部３２ａ，３２ｂ  糸状部３２ｃ  孔部
【図１】
2020110331.tif 000007
【図２】
2020110331.tif 000008
【図３】
2020110331.tif 000009
【図４】
2020110331.tif 000010
【図５】
2020110331.tif 000011
【図６】
2020110331.tif 000012
【図７】
2020110331.tif 000013
【手続補正書】
【提出日】令和3年1月8日(2021.1.8)
【手続補正１】
【補正対象書類名】特許請求の範囲
【補正対象項目名】全文
【補正方法】変更
【補正の内容】
【特許請求の範囲】
【請求項１】
泡が吐出される吐出口を有する吐出ヘッド及び当該吐出ヘッドに装着される吐出ヘッド用アタッチメントを備える吐出容器であって、
前記吐出ヘッド用アタッチメントは、
一側で前記吐出口と接続されており、他側に第１開口を有する筒状部と、
前記筒状部の前記一側に設けられる多孔部と、
を含み、
前記筒状部の側部には、第２開口が形成されており、
前記第１開口の周縁部は、少なくとも部分的に前記筒状部の周方向に沿って延在している、
吐出容器。
【請求項２】
前記多孔部の目開きは、前記吐出ヘッドから前記吐出ヘッド用アタッチメントに送られる前記泡の平均泡径より小さい、
請求項１に記載の吐出容器。
【請求項３】
前記多孔部の目開き率は、１０％より大きい、
請求項１又は２に記載の吐出容器。
【請求項４】
液体が収容される容器本体と、
前記吐出ヘッドを含むディスペンサと、
を備え、
前記ディスペンサは、前記容器本体内に収容されている液体を空気と混合することにより泡を生成し、当該泡を前記吐出ヘッドへ送るポンプ機構を含む、
請求項１〜３のいずれか一項に記載の吐出容器。
【請求項５】
前記吐出ヘッドの内部流路には多孔体が設けられている、
請求項１〜４のいずれか一項に記載の吐出容器。
【請求項６】
前記多孔部の目開き率は、前記多孔体の目開き率と同じか、又は、前記多孔体の目開き率より小さい、
請求項５に記載の吐出容器。
【請求項７】
複数の前記第２開口が前記筒状部の周方向に間隔を空けて形成されている、
請求項１〜６のいずれか一項に記載の吐出容器。
【請求項８】
前記第２開口における前記筒状部の軸方向の長さは、隣り合う前記第２開口の間に延びる前記第１開口の周縁部の長さよりも長い、
請求項７に記載の吐出容器。
【請求項９】
前記第２開口における前記筒状部の軸方向の長さは、前記第２開口における前記筒状部の周方向の長さよりも長い、
請求項１〜８のいずれか一項に記載の吐出容器。
【請求項１０】
前記第２開口における前記筒状部の周方向の幅は、前記一側に進むにつれて小さくなっている、
請求項１〜９のいずれか一項に記載の吐出容器。
【請求項１１】
泡が吐出される吐出口を有する吐出ヘッドに装着される吐出ヘッド用アタッチメントであって、
一側で前記吐出口と接続可能であり、他側に第１開口を有する筒状部と、
前記筒状部の前記一側に設けられる多孔部と、
を備え、
前記筒状部の側部には、第２開口が形成されており、
前記第１開口の周縁部は、少なくとも部分的に前記筒状部の周方向に沿って延在している、
吐出ヘッド用アタッチメント。
【国際調査報告】
2020110331.tif 000014
2020110331.tif 000015
2020110331.tif 000016
2020110331.tif 000017